(57)【要約】【課題】尻から背中までをすっぽりと包み込むように幼児を安全且つ快適に対面抱っこするのに適した構造を備え、しかも、ショルダーバックを体の正面で使用するバック使用対応と外観的には全く変わがない使用対応で幼児を対面抱っこすることができるファッション性に優れたベビーキャリアを提供する。【解決手段】一本の肩掛けバンド４を備えるショルダーバック本体１の裏側に、通気性等に優れた素材からなる裏地２を備える。そして、バック本体１を体の正面に装着位置させた状態において、使用者の下腹部に位置する前記裏地２を、バック本体１の底部から下方に延設せしめて幼児の尻を受ける尻受け部2-1を形成し、該尻受け部2-1には使用者の腰に装着する腰バンド５を取り付けたことにある。【選択図】図１
0003107643.tif 000002
【実用新案登録請求の範囲】
【請求項１】
使用者がタスキ状に肩掛けする一本の肩掛けバンドを備えるショルダーバック本体の裏側に、通気性等に優れた素材からなる裏地を備え、
前記バック本体を体の正面に位置させた状態において、使用者の下腹部に位置する前記裏地を、バック本体の底部から下方に延設せしめて幼児の尻を受ける尻受け部を形成すると共に、該尻受け部には使用者の腰に装着する腰バンドを取り付けたことを特徴とするベビーキャリア。
【請求項２】
上記バック本体の裏側に、尻受け部と腰バンドを収納する収納部が備えられていることを特徴とするベビーキャリア。
【請求項３】
上記収納部は、バック本体の裏側に、裏地に延設した尻受け部を除いてその周縁を縫着して形成されていることを特徴とする請求項２記載のベビーキャリア。
【請求項４】
上記尻受け部は、延設基端部位から裏返しに折り返えすことで収納部に収納自在とし、
且つ前記収納部に尻受け部を折り返し収納させた状態において、同収納部の開口縁内側と、この内側と対面する尻受け部の折返し部近傍における裏地表面とには収納部を閉じる雄雌からなる係脱自在な閉じ手段を備え、
更に尻受け部を収納部から引き出した使用状態において、前記開口縁内側に備えられている閉じ手段の一方側との係合によりバック本体の底部側を裏地に係脱自在に連結する連結手段が、前記尻受け部の折返し部近傍における裏地裏面に備えていることを特徴とする請求項１〜３何れか１項記載のベビーキャリア。
【考案の詳細な説明】
【技術分野】
【０００１】
本考案は、乳幼児等を対面抱っこする子守り機能に加えて、小物やミルク瓶等を収納するバック機能をも併せ持ったベビーキャリアに係り、特に使用者がタスキ状に肩掛けする一本の肩掛けバンドと、腰に装着する腰バンドを備えるショルダー式のベビーキャリアに関する。
【背景技術】
【０００２】
従来から、バック機能を兼ね備えるベビーキャリアとしては種々の態様の商品が提案されている（特許文献１、特許文献２及び特許文献３）。
【０００３】
即ち、特許文献１には、使用者の腰に装着される腰ベルトを備え、幼児の尻部を受けるウエストバック本体と、このバック本体に連結ベルトを介して連結されて使用者の肩や首等に掛けられる吊りバンドと、該吊りバンドの下部に備えられて幼児の腰部を外側から支える腰当てとで構成されたベビーキャリア兼用ウエストバックが開示されている。
【０００４】
また、特許文献２及び特許文献３には、使用者の腰に装着される腰ベルト、幼児の尻部を受ける座面を形成するものであって、前記腰ベルトに取付けられ且つ使用者の下腹部から前方に張り出すように形成された保持部を備え、該保持部が内部に小物等の収納空間を備えると共に、前記座面となる同保持部の上面前部から使用者の肩に掛けられるサポート用の吊りバンドを備え、更に保持部の上面前部から立ち上げる幼児の腰部を外側から支える腰当てパットを備えたウエストバックのような態様で着用することができる乳幼児保持具が開示されている。
【０００５】
しかし乍ら、上記した特許文献１、特許文献２及び特許文献３記載のものは、いずれもウエストバック態様のベビーキャリアである。
従って、ベビーキャリアとしての子守り機能を備えるために、使用者の肩に掛ける肩掛けバンド、そして、幼児の腰部を外側から保持する腰当て等をバックに取り付ける必要があるため、当然のことながら製作が面倒となり、手間が掛かりコスト高となる。
【０００６】
また、従来のものは、ウエストバック本体の上面（座面）に幼児を対面状に座らせ、幼児の腰部等を腰当てと補助ベルトのみで保持すると言った保持構造であることから、例えば腰が十分に座っていない生後間もない幼児を抱っこする場合等には、親等の使用者は不安を覚え、安心して安全且つ快適に使用することができないと言った問題がある
換言すれば、腰が十分に坐っている幼児以上にその使用が限られてしまうものであった。
【０００７】
また、従来のものは、ウエストバック態様であるために、ベビーキャリアとしての使用態様においえ外観的な見栄えが悪く、ファッション性を重視する若い世代の女性等には好まれる商品とは言えないものであった。
【０００８】
【特許文献１】特許第３０２９５６７号
【特許文献２】特許第３３９６５８６号
【特許文献３】特開平１０−１６５２６７号
【考案の開示】
【考案が解決しようとする課題】
【０００９】
本考案が解決しようとする課題は、尻から背中までをすっぽりと包み込むように幼児を安全且つ快適に対面抱っこするのに適した構造を備え、しかも、ショルダーバックを体の正面で使用するバック使用形態と外観的には全く変わがない使用形態で幼児を対面抱っこすることができるファッション性に優れたベビーキャリアを提供することにある。
【課題を解決するための手段】
【００１０】
上記課題を解決するために本考案は、請求項１では、使用者がタスキ状に肩掛けする一本の肩掛けバンドを備えるショルダーバック本体の裏側に、通気性等に優れた素材からなる裏地を備え、
前記バック本体を体の正面に位置させた状態において、使用者の下腹部に位置する前記裏地を、バック本体の底部から下方に延設せしめて幼児の尻を受ける尻受け部を形成すると共に、該尻受け部には使用者の腰に装着する腰バンドを取り付けたことを特徴とするベビーキャリアにある。
そして、裏地の素材としては、例えば通気性に優れたディンプル生地等が好適であり、キャリアとしての使用時において、幼児の上半身に巻き止める補助ベルトを設けて、幼児の上半身を包み込むように保持する裏地とによって幼児を一体に且つ安全に保持するようにすることが好適なものとなる。
【００１１】
また、請求項２では、上記バック本体の裏側に、尻受け部と腰バンドを収納するための収納部が備えられていて、ショルダーバックとして使用する場合には尻受け部と腰バンドとを収納部に収納し得るようにしたことにある。
この様に、バック本体の裏面に収納部を形成する場合、裏地から延設した尻受け部を除いてバック本体の裏面周縁に沿って縫着することで、該バック本体と裏地との間に形成することが好適なものとなる（請求項３）。
【００１２】
また、請求項４では、上記尻受け部は、延設基端部位から裏返しに折り返えすことで収納部に収納自在とし、
且つ前記収納部に尻受け部を折返し収納させた状態において、収納部の開口縁内側と、この内側と対面する前記尻受け部の折返し部近傍における裏地表面とには収納部を閉じる雄雌からなる係脱自在な閉じ手段を備え、
更に尻受け部を収納部から引き出した使用状態において、前記開口縁内側に備えられている閉じ手段の一方側との係合によりバック本体の底部側を裏地に係脱自在に連結する連結手段が、前記尻受け部の折返し部近傍における裏地裏面に備えられていることにある。
ここで、上記閉じ手段、連結手段としては、雄と雌との係合によって係脱自在に係合し合うベルベットファスナー（面ファスナー）、ファスナー、ホック等が挙げられる。
【考案の効果】
【００１３】
本考案の請求項１記載によれば、肩掛けバンドを右肩から又は左肩からタスキ状に掛けた状態でショルダーバック本体を体の正面に位置させ、バック本体の底部から延設させた尻受け部の腰バンドを装着する。この状態で、幼児を裏地と使用者との間に入れて腰受け部に座らせる。これにより、幼児の背中全体、そして両脇の上半身が裏地によってすっぱりと包み込まれるように支えられる保持状態で幼児を対面抱っこすることができる。
従って、腰が十分に坐っている幼児は勿論、腰が十分に座っていない生後間もない幼児においても親等の使用者に不安感を与えることなく、安心して安全に対面抱っこすることができるベビーキャリアを提供することができる。
また、通気性の良い素材、例えばディンプル生地等からなる裏地を用いることで、すっぽりと包み込まれるように対面抱っこされる幼児の上半身が蒸れたりすることがない快適な対面抱っこが可能になる。
しかも、キャリアとしての使用状態において、バック本体は裏地と共に幼児の背中を覆うように表面に位置することから、ショルダーバックを体の正面で使用するバック使用対応と外観的には全く変わりがない使用対応で幼児を対面抱っこすることができる。よって、見栄えが良く、ファッション性にも優れたベビーキャリアを提供することができる。
【００１４】
また、請求項２及び３記載によれば、上記請求項１記載の作用に加えて、ショルダーバックとして使用する場合には尻受け部、そして、必要に応じて腰バンドをも収納部に収納した状態で使用することが可能になる。
そして、収納部は、バック本体の裏面に取り付ける裏地の縫着により簡単に形成することができる。
【００１５】
請求項４記載によれば、上記請求項１、請求項２及び３記載の作用に加えて、バックとしての使用時において、尻受け部、腰バンドが収納部から不用意に飛び出したりすることがない。そして、キャリアとしての使用においてはバック本体が裏地から離れると言ったバタツキ等が生じたりすることがなく使用することができる。
【考案を実施するための最良の形態】
【００１６】
本考案の最良の実施形態を図１〜図７に基づいて説明する。
【実施例１】
【００１７】
図１〜図３は、本考案ベビーキャリアの実施形態の一例を示し、１はショルダーバック本体であり、このバック本体１の裏側に通気性に優れた素材からなる裏地２を縫着により取り付けている。
【００１８】
バック本体１は、周知の素材から適宜の大きさに形成され、ファスナー３により開閉自在とする開口部を有する周知の構造形態を呈し、開口部を有する上縁両側に、長さを調節自在とするループ状の肩掛けバンド４を取り付けている。
【００１９】
裏地２は、幼児の尻から背中全体をすっぽりと包み込むように幼児を保持するためのキャリア本体であって、通気性に優れたディンプル生地等からバック本体１の裏面全体を覆うように形成されて、バック本体１の裏面周囲縁に沿って縫着されることにより、同裏面全体に取り付けられる。
そして、バック本体１の底部から裏地２を下方に延設せしめることで、幼児の尻を受ける尻受け部2-1を形成している。
【００２０】
尻受け部2-1は、幼児の尻を受ける程度の大きさにてバック本体１の底部から延設されて形成されると共に、使用者の腰に装着される腰バンド５が取り付けられている。これにより、尻受け部2-1の突端側を使用者の腰又は下腹部で支えるようにしている。
【００２１】
腰バンド５は、肩掛けバンド４と同じ素材等によって、同バンド４の幅より狭いバンド幅にて適宜の長さの帯状（ループ状）に形成され、その両開放端側を尻受け部2-1の突端両側コーナー部位に縫着により夫々取り付けられ、その長さ方向の中間部においてはバックル等からなる雄雌一対の連結具６により分離係脱可能とされ、且つ、一方の連結具６に対してベルト長さが任意に調節されるように形成されている。
【００２２】
そして、本例では図示のように、幼児の上半身に巻き止める補助ベルト７を取り付けて、幼児の上半身を包み込むように保持する裏地２とによって幼児を一体に且つより一層安全に保持することができるようにしている。
尚、この補助ベルト７は、その長さ方向の中間部においてはバックル等からなる雄雌一対の連結具８により分離係脱可能とされ、且つ、一方の連結具８に対してベルト長さが任意に調節されるように形成されている。即ち、幼児の体格に合せてベルト長さを自在に調節し得るように形成されている。
【００２３】
次に、以上の如く構成された本例ベビーキャリアの使用法について簡単に説明する。
図３に示す使用形態のように、肩掛けバンド４をタスキ状に掛けた状態でショルダーバック本体１を体の正面又はやや横に位置させ、バック本体１の底部から延設させた尻受け部2-1の腰バンド５を使用者の腰に装着する。
そして、この状態で、幼児を裏地２と使用者との間に入れて腰受け部2-1に座らせると共に、補助ベルト７を幼児の上半身に巻き付けることによって、幼児の背中全体、そして両脇の上半身が裏地２によってすっぱりと包み込まれるように支えられる保持状態となる。
これにより、親等の使用者に不安感を与えることなく、安心して安全に腰が十分に座っていない生後間もない幼児を対面抱っこすることができるものである。
【００２４】
また、幼児を抱かずに、バック本体１を使用者の正面や背中等に回すことで、そのままショルダーバックとしての使用形態とすることができる。
【実施例２】
【００２５】
図４〜図７は、本考案ベビーキャリアの他の実施形態を示し、斯かる実施例２においてはバック本体１の裏面に、バック本体１と裏地２との間に、尻受け部2-1と腰バンド５を収納するための収納部９が形成されている。
尚、斯かる実施例２において、収納部９を設けた以外の構成部分は前述実施例１と基本的に変わりがないことから同じ構成部分に同じ符号を用いることで、重複説明は省略する。
【００２６】
収納部９は、ショルダーバックとして使用する場合において、不要となる尻受け部2-1を裏地２からの延設基端部位から裏返しに折り返して収納したり、そして必要に応じて腰バンド５を収納しておくためのもので、尻受け部2-1を除く裏地２をバック本体１の裏面周囲縁に沿って逢着することよって、該バック本体１の裏面と裏地２の表面との間に形成されるものである。
【００２７】
そして、図７に示すように、尻受け部2-1を収納部９に折り返し収納させた状態において、尻受け部2-1が不用意に飛び出したりしないように、収納部９の開口縁内側（バック本体１の裏側）と、この内側と対面する前記尻受け部2-1の折返し部近傍とには収納部９を閉じる雄雌からなる係脱自在な閉じ手段10を備えている。
【００２８】
上記閉じ手段10としては特に限定されるものではないが、脱着操作性や幼児に対して違和感等を与えないように考慮するならば、雄雌からなるベルベットファスナー（面ファスナー）11が挙げられる。
そして、このベルベットファスナー11の内、雄側ファスナー11-1を収納部９の開口縁内側（バック本体１の裏側）に取付け、雌側ファスナー11-2を前記開口縁内側と対面する尻受け部2-1の折返し部近傍における裏地２の表面に取り付けることが好適なものとなる。
即ち、尻受け部2-1の折返し部は、尻受け部2-1を収納部９から引き出すキャリア形態での使用において、幼児の座面となるため、幼児の衣服等を傷めることがない雌側ファスナー10-2とすることが好適なものとなる。更には必要に応じて雌側ファスナー11-2が幼児の尻に触れない（当らない）ように、同ファスナー11-2を覆う被覆体を尻受け部2-1にフラップ状に備える等の工夫を施すことも任意である。
【００２９】
また、尻受け部2-1を使用するキャリア形態において、前記ベルベットファスナー11の雄側ファスナー11-1との係合によりバック本体１の底部側を裏地２に係脱自在に連結する連結手段12を備えている。
【００３０】
連結手段12は、尻受け部2-1が収納部９から引き出されるキャリア形態において、バック本体１が裏地２から離れると言ったバタツキが生じたりしないように、バック本体１の底部側を裏地２に係脱自在に連結する役目を成す。換言すれば、収納部９のもう一方の開口縁内側（裏地２表面側）にバック本体１の底部側を連結する。
この連結手段12は、上記ベルベットファスナー11の雌側ファスナー11-2からなり、上記雄側ファスナー11-1との係合により、バック本体１の底部側を裏地２に連結保持するように、裏地２の裏側に取り付ける（図４及び図５（ａ）参照）。
【００３１】
而して、図４及び図６に示すように、尻受け部2-1は、キャリア形態では収納部９から引き出される一方で、図７に示すように、バック形態においては収納部９に折り返し収納されるものである。
【００３２】
尚、実施例２においては収納部９を閉じる閉じ手段10と、バック本体１の底部側を裏地２に連結する連結手段12とを、ベルベットファスナー11の一方側（雄側ファスナー11-1）を併用することで、両機能を持たせるように構成しているが、閉じ手段と連結手段とを夫々個々のベルベットファスナー11を用いて独自に構成するも勿論任意である。そして、図示を省略しているが、ベルベットファスナー11に変えて、ファスナーやホック等を用いて収納部９を閉じたり、バック本体１の底部側を裏地２に連結するように構成するも良い。
【００３３】
また、本考案の具体的な実施例にあっては、前述の各実施例１〜２構成に限定されるものではなく、請求項１〜４記載の要旨を免脱しない範囲で種々変更して行うことができるものである。
【図面の簡単な説明】
【００３４】
【図１】本考案ベビーキャリアの実施形態の一例を示す背面図
【図２】同正面図
【図３】キャリア形態の使用例を示す斜視図
【図４】本発明ベビーキャリアの他の実施形態を示す正面図
【図５】図４のＶ−Ｖ線拡大断面図で、（ａ）は尻受け部を収納部から引き出したキャリア形態を示す、（ｂ）は尻受け部を収納部に折り返し収納させたバック形態を示す
【図６】収納部を開口させた状態を示す正面図
【図７】バック形態を示す正面図
【符号の説明】
【００３５】
１：バック本体      ２：裏地
2-1：尻受け部        ４：肩掛けバンド
５：腰バンド        ７：補助ベルト
９：収納部          10：閉じ手段
12：連結手段
【図１】
0003107643.tif 000003
【図２】
0003107643.tif 000004
【図３】
0003107643.tif 000005
【図４】
0003107643.tif 000006
【図５】
0003107643.tif 000007
【図６】
0003107643.tif 000008
【図７】
0003107643.tif 000009
【手続補正書】
【提出日】平成16年8月12日(2004.8.12)
【手続補正１】
【補正対象書類名】実用新案登録請求の範囲
【補正対象項目名】請求項２
【補正方法】変更
【補正の内容】
【請求項２】
上記バック本体の裏側に、尻受け部と腰バンドを収納する収納部が備えられていることを特徴とする請求項１記載のベビーキャリア。